(57)【要約】      （修正有）【課題】構造強度及び安定性が良く、方向及び長さを調整でき、フックを任意に振ることができない引抜装置を提供する。【解決手段】フレーム１と複数のフック２と複数の連接ロッド３と工作ロッド４とを含み、フレーム１はねじ穴１１と複数の延長アーム１２とを有し、各延長アーム１２は第１枢着部と押付け部とを有し、押付け部は延長アームの一自由端に位置し、当接溝１２２を含み、当接溝１２２は定位手段を有し、フック２は爪部と第２枢着部とを有し、連接ロッド３は両端が第１枢着部のうちの一つと第２枢着部２２のうちの一つとにそれぞれ枢着され、工作ロッド４は両端に操作部４１と押付け部４２とがそれぞれ設けられ、操作部４１と押付け部４２の間にねじ軸段４３が設けられ、ねじ軸段４３はフレーム１のねじ穴１１と螺合し、爪部はフックの末端のうちの一つに位置する。【選択図】図１
0003179130.tif 000002
【実用新案登録請求の範囲】
【請求項１】
フレームと、複数のフックと、複数の連接ロッドと、工作ロッドと、を含む引抜装置であって、
前記フレームは、ねじ穴と複数の延長アームとを有し、各前記各延長アームは、第１枢着部と押付け部とを有し、前記押付け部は、前記延長アームの一自由端に位置し、当接溝を含み、
前記フックは、少なくとも一つの爪部と、第２枢着部と、を有し、
前記連接ロッドは、対応する両端が前記第１枢着部のうちの一つと前記第２枢着部のうちの一つとにそれぞれ枢着され、
前記工作ロッドの対応する両端には、操作部と押付け部とがそれぞれ設けられ、前記操作部と前記押付け部の間にねじ軸段が設けられ、前記ねじ軸段が前記フレームの前記ねじ穴と螺合し、
前記爪部は、前記フックの末端のうちの一つに位置し、前記フックのうちの一つだけが前記当接溝に当接可能であることを特徴とする引抜装置。
【請求項２】
前記当接溝は定位手段を有し、各前記フックが前記当接溝のうちの一つに当接しているときには、前記フックの定位部が前記定位手段に定位されて、前記フックが前記当接溝から自由に離脱できないことを特徴とする、請求項１に記載の引抜装置。
【請求項３】
前記定位手段は、収容穴と弾性具と定位玉とを含み、前記定位玉の直径は前記収容穴の内径よりも大きく、前記弾性具と前記定位玉とは前記収容穴内に位置し、前記弾性具を前記収容穴の底部と前記定位玉の間に押付けることにより、前記定位玉が前記当接溝の内側へ付勢され、前記定位部は前記定位玉が押付け可能な凹部であることを特徴とする、請求項２に記載の引抜装置。
【請求項４】
各前記フックは二つの爪部を有し、二つの前記爪部は、前記フックの両端にそれぞれ位置し、前記フックの異なる側にそれぞれ突出することを特徴とする、請求項１に記載の引抜装置。
【請求項５】
前記各フックの前記第２枢着部は、第１枢着穴と第２枢着穴とを含み、前記第１枢着穴と前記第２枢着穴とは、前記フックの縦方向に沿って配列されることを特徴とする、請求項１に記載の引抜装置。
【請求項６】
各前記フックの前記第１枢着穴と前記爪部の距離をａとし、前記第２枢着穴と前記爪部の距離をｂとする場合には、ａがｂと異なることを特徴とする、請求項５に記載の引抜装置。
【請求項７】
各前記フックの前記第２枢着部は、第１枢着穴と第２枢着穴とを含み、前記第１枢着穴と前記第２枢着穴とは、前記フックの縦方向に沿って配列されることを特徴とする、請求項４に記載の引抜装置。
【請求項８】
前記フックの前記第１枢着穴と二つの前記爪部の距離をｃとｄとし、前記第２枢着穴と二つの前記爪部の距離をｅとｆとする場合には、ｃ、ｄ、ｅ及びｆが互いに異なることを特徴とする、請求項７に記載の引抜装置。
【請求項９】
各前記フックが前記当接溝のうちの一つに当接しているときに、それに対応する延長アームは、前記フックの少なくとも半分の幅を覆うことを特徴とする、請求項１に記載の引抜装置。
【考案の詳細な説明】
【技術分野】
【０００１】
本考案は、引抜装置に関し、特に、構造強度を増加でき、使用の変化性を増加できる引抜装置に関するものである。
【背景技術】
【０００２】
引抜装置はワークを引き抜くためのものである。従来の引抜装置は、フレームと、複数のフックと、複数の連接ロッドと、工作ロッドと、を含む。前記フレームは、ねじ穴と、複数の延長部と、を有する。前記フックは爪を有する。前記各連接ロッドの両端は、前記延長部にうちの一つと、前記フックのうちの一つとに、それぞれ枢着される。前記工作ロッドの両端には、ワークに押付ける押付け部と、操作部と、がそれぞれ設けられる。前記押付け部と前記操作部の間には、前記ねじ穴と螺合するねじ軸段が設けられる。前記操作部を回転しているときには、前記工作ロッドが前記フレームに対して相対的に移動し、これにより、これらの前記フックがワークを引き抜くことができる。
【０００３】
しかしながら、上記の引抜装置の欠点が多い。すなわち、回転の過程中に、前記フックは、前記延長部の自由端に当接し、大きいトルクの影響により、前記フレームとの間に引き止めが発生して、工作効率が良くなく、又は部品が損壊しやすい。そして前記フック、前記連接ロッド及び前記フレームは相対的に旋回自在であるため、前記フックが垂れ下がる。ワークに前記フックを掛けるために、前記フックをそれぞれ外側に旋回することが必要であるため、利用が極めて不便である。前記フックを任意に振ると、他人を傷付ける危険性がある。
【０００４】
また、従来の引抜装置は、寸法が一定であるため、異なる寸法を有するワークを引き抜くことができない可能性がある。
【先行技術文献】
【特許文献】
【０００５】
【特許文献１】なし
【考案の概要】
【考案が解決しようとする課題】
【０００６】
そこで、本考案の主な目的は、構造強度及び安定性が良く、方向及び長さを調整でき、フックを任意に振ることができない引抜装置を提供することにある。
【課題を解決するための手段】
【０００７】
本考案の引抜装置によると、ねじ穴と、複数の延長アームと、を有し、各延長アームは、第１枢着部と、押付け部と、を有し、押付け部は、延長アームの一自由端に位置し、当接溝を含み、各当接溝は定位手段を有するフレームと、少なくとも一つの爪部と、第２枢着部と、を有する複数のフックと、その対応する両端は、第１枢着部のうちの一つと、第２枢着部のうちの一つとに、それぞれ枢着される複数の連接ロッドと、その対応する両端には、操作部と、押付け部と、がそれぞれ設けられ、操作部と押付け部の間にねじ軸段が設けられ、ねじ軸段がフレームのねじ穴と螺合する工作ロッドと、を含み、爪部はフックの末端のうちの一つに位置し、各当接溝には、フックのうちの一つだけが当接可能であることを特徴とする。
【０００８】
本考案の引抜装置によると、各当接溝は定位手段を有し、各フックが当接溝のうちの一つに当接しているときには、フックの定位部が定位手段に定位されて、フックが当接溝から自由に離脱できないことを特徴とする。
【０００９】
本考案の引抜装置によると、定位手段は、収容穴と、弾性具と、定位玉と、を含み、定位玉の直径は収容穴の内径よりも大きく、弾性具と定位玉とは収容穴内に位置し、弾性具は収容穴の底部と定位玉の間に押付けることにより、定位玉が当接溝へ付勢され、定位部は定位玉が押付け可能な凹部であることを特徴とする。
【００１０】
本考案の引抜装置によると、各フックは二つの爪部を有し、二つの爪部は、フックの両端にそれぞれ位置し、フックの異なる側にそれぞれ突出することを特徴とする。
【００１１】
本考案の引抜装置によると、各フックの第２枢着部は、第１枢着穴と、第２枢着穴と、を含み、第１枢着穴と第２枢着穴とは、フックの縦方向に沿って配列されることを特徴とする。
【００１２】
本考案の引抜装置によると、各フックの第１枢着穴と爪部の距離をａとし、第２枢着穴と爪部の距離をｂとする場合には、ａがｂと異なることを特徴とする。
【００１３】
本考案の引抜装置によると、各フックの第２枢着部は、第１枢着穴と、第２枢着穴と、を含み、第１枢着穴と第２枢着穴とは、フックの縦方向に沿って配列されることを特徴とする。
【００１４】
本考案の引抜装置によると、フックの第１枢着穴と二つの爪部の距離をｃとｄとし、第２枢着穴と二つの爪部の距離をｅとｆとする場合には、ｃ、ｄ、ｅ及びｆが互いに異なることを特徴とする。
【００１５】
本考案の引抜装置によると、各フックが当接溝のうちの一つに当接しているときに、それに対応する延長アームは、フックの少なくとも半分の幅を覆うことを特徴とする。
【考案の効果】
【００１６】
本考案の引抜装置によれば、構造強度及び安定性が良く、方向及び長さを調整でき、フックが任意に振ることができないという効果を有する。
【図面の簡単な説明】
【００１７】
【図１】本考案の一実施例を示す斜視図である。
【図２】本考案の一実施例の使用状態を示す模式図である。
【図３】本考案の一実施例の一部を示す分解斜視図である。
【図４】本考案の一実施例の動作を示す模式図である。
【図５】本考案の一実施例の動作を示す模式図である。
【図６】本考案の一実施例の一部を示す側面図である。
【図７Ａ】本考案の一実施例の一部を示す側面図である。
【図７Ｂ】図７Ａの一部を示す断面図である。
【図８】本考案の別の実施例を示す側面図である。
【考案を実施するための形態】
【００１８】
以下、本考案の実施の形態を図面に基づいて説明する。
【００１９】
まず、図１乃至図７Ａ及び図７Ｂを参照する。本考案の引抜装置は、フレーム１と、複数のフック２と、複数の連接ロッド３と、工作ロッド４と、を含む。
【００２０】
フレーム１は、ねじ穴１１と、複数の延長アーム１２と、を有する。ねじ穴１１はフレーム１の中央に位置する。これらの延長アーム１２は、ねじ穴１１を中心として外側に延びる。各延長アーム１２は、第１枢着部と、押付け部と、を有する。前記第１枢着部は枢着穴１２１を含む。前記押付け部は、延長アーム１２の一自由端に位置し、当接溝１２２を含み、各当接溝１２２が定位手段１２３を有する。本実施例では、前記定位手段は、収容穴１２３１と、弾性具１２３２と、定位玉１２３３と、を含む。定位玉１２３３の直径は収容穴１２３１の内径よりも大きい。弾性具１２３２と定位玉１２３３とは収容穴１２３１内に位置する。弾性具１２３２は収容穴１２３１の底部と定位玉１２３３の間に押付けることにより、定位玉１２３３が当接溝１２２の内側へ付勢される。
【００２１】
各フック２は、少なくとも一つの爪部と、第２枢着部２２と、を有する。前記爪部はフック２の末端のうちの一つに位置する。第２枢着部２２は、第１枢着穴２２１と、第２枢着穴２２２と、を含む。第１枢着穴２２１と第２枢着穴２２２とは、フック２の縦方向に沿って配列される。フック２の第１枢着穴２２１と前記爪部の距離をａとし、第２枢着穴２２２と前記爪部の距離をｂとする場合には、ａがｂと異なる。本実施例では、各フック２は爪部２１ａ、２１ｂを有し、爪部２１ａ、２１ｂは、フック２の両端にそれぞれ位置し、フック２の異なる側にそれぞれ突出する。図７Ａに示すように、第１枢着穴２２１と爪部２１ａ、２１ｂの距離をｃとｄとし、第２枢着穴２２２と爪部２１ａ、２１ｂの距離をｅとｆとする場合には、ｃ、ｄ、ｅ及びｆが互いに異なる。
【００２２】
各連接ロッド３の両端は、第１枢着部のうちの一つと、第２枢着部２２のうちの一つとに、それぞれ枢着される。具体的には、連接ロッド３の両端に連接穴３１がそれぞれ設けられる。各連接穴３１と、それに対応する枢着穴１２１、第１枢着穴２２１、又は第２枢着穴２２２とは、枢着具３２に挿通される。これにより、連接ロッド３は延長アーム１２又はフック２に対して相対的に旋回できる。
【００２３】
工作ロッド４の両端には、操作部４１と、押付け部４２と、がそれぞれ設けられる。操作部４１と押付け部４２の間にねじ軸段４３が設けられる。ねじ軸段４３はフレーム１のねじ穴１１と螺合する。本実施例では、操作部４１の断面形状が多辺形（例えば六角形など）を呈し、スパナなどの手工具は操作部４１を駆動して回転できる。押付け部４２は、ワーク５の固定部分５１に押付ける。
【００２４】
各フック２が当接溝１２２のうちの一つに当接しているときに、それに対応する延長アーム１２は、フック２の少なくとも半分の幅を覆う。フック２の一つの定位部が定位手段１２３に定位されて、フック２が当接溝１２２から自由に離脱できない。前記定位部は定位玉１２３３が押付け可能な凹部２３であることが好ましい。凹部２３はフック２の縦方向に沿って延びる。
【００２５】
次に、図２を参照しながら本考案の使用状態を説明する。ワーク５の固定部分５１に工作ロッド４の押付け部４２を押付けて、各フック２の爪部２１ａをワーク５の引抜待機部分５２に掛けて、操作部４１を回転することにより、ねじ軸段４３がねじ穴１１に対して相対的に回転して移動する。このように、これらの爪部２１ａは、ワーク５の引抜待機部分５２を固定部分５１から引き抜くことができる。
【００２６】
特に、前記フレームの受けられるトルクが極めて大きいため、ワークを容易に引き抜くことができない場合には、フックと延長アームが連接ロッドだけによって枢着し、これにより、フックと延長アームが相対的に旋回して剪断力を発生する。このように、工作効率が降下し、部品が損壊しやすい。本考案の引抜装置によれば、延長アームの末端に当接溝が設けられ、前記当接溝が定位手段を有するため、ワークを引抜いているときには、フックが当接溝に持続に当接し、当接溝の側壁により、フックによる引止めを回避でき、フックを連動でき、そして定位手段により、全体構造の安定性が増加し、フックを任意に振ることができない。
【００２７】
また、各フックは二つの枢着穴を有し、これらの枢着穴から二つの爪部までの距離が異なる。これにより、異なる枢着穴を選択して連接ロッドと枢着して、異なる爪部を選択してワークに掛けると、異なる寸法を有するワークに合せてワークを引抜くことができ、且つ爪部の突出方向を外側、又は内側に向かせることができるため、図８に示すように、リング形状を呈するワーク、又は円盤状を呈するワークを引抜くことができる。
【００２８】
なお、本考案は前記実施の形態に限定されるものではなく、本考案の趣旨に基づいて種々変形させることが可能であり、それらを本考案の範囲から排除するものではない。
【産業上の利用可能性】
【００２９】
本考案は、引抜装置に適用することができる。
【符号の説明】
【００３０】
１：フレーム
２：フック
３：連接ロッド
４：工作ロッド
５：ワーク
１１：ねじ穴
１２：延長アーム
２１ａ，２１ｂ：爪部
２２：第２枢着部
２３：凹部
３１：連接穴
３２：枢着具
４１：操作部
４２：押付け部
４３：ねじ軸段
５１：固定部分
５２：引抜待機部分
１２１：枢着穴
１２２：当接溝
１２３：定位手段
２２１：第１枢着穴
２２２：第２枢着穴
１２３１：収容穴
１２３２：弾性具
１２３３：定位玉
【図１】
0003179130.tif 000003
【図２】
0003179130.tif 000004
【図３】
0003179130.tif 000005
【図４】
0003179130.tif 000006
【図５】
0003179130.tif 000007
【図６】
0003179130.tif 000008
【図７Ａ】
0003179130.tif 000009
【図７Ｂ】
0003179130.tif 000010
【図８】
0003179130.tif 000011